(57)【要約】【課題】１枚のプリント基板上に構成される定着駆動回路と低圧電源部回路との間に１枚の板金を接地すること。又、定着駆動回路と低圧電源部回路との間に接地した１枚の板金を、定着駆動回路に使用するスイッチング素子の放熱板として利用すること。【解決手段】１枚のプリント基板から成る電装基板の定着駆動回路と低圧電源部回路との間に板金を配置し、前記板金を前記電装基板上のＧＮＤに接地したことを特徴とするものである。又、本発明は、１枚のプリント基板上に設けた板金は１枚の板金で形成され、定着駆動回路に用いるスイッチング素子を取り付け固定できる放熱板金であることを特徴とする。【選択図】図１
2006053476.tif 000002
【特許請求の範囲】
【請求項１】
１枚のプリント基板にフィルタ回路から成るＡＣ入力部回路、ＡＣ電圧を整流平滑し所望の電圧を生成する低圧電源部回路及び熱定着手段を駆動するための定着駆動回路を有し、前記定着駆動回路が前記プリント基板の端部に配置構成され、前記ＡＣ入力部回路及び前記低圧電源部回路は、前記定着駆動回路と近接して配置構成される電装基板において、
前記低圧電源部回路と前記定着駆動回路との間に板金を配置し、前記板金を前記電装基板上のＧＮＤに接地したことを特徴とする電装基板。
【請求項２】
前記板金は１枚の板金で構成され、前記定着駆動回路に用いるスイッチング素子を取り付け固定できる放熱板金であることを特徴とする請求項１記載の電装基板。
【請求項３】
１枚のプリント基板にフィルタ回路から成るＡＣ入力部回路、ＡＣ電圧を整流平滑し所望の電圧を生成する低圧電源部回路及び熱定着手段を駆動するための定着駆動回路を有し、前記定着駆動回路が前記プリント基板の端部に配置構成され、前記ＡＣ入力部回路及び前記低圧電源部回路は、前記定着駆動回路と近接して配置構成される電装基板を用いた画像形成装置において、
前記低圧電源部回路と前記定着駆動回路との間に板金を配置し、前記板金を前記電装基板上のＧＮＤに接地したことを特徴とする画像形成装置。
【請求項４】
前記板金は１枚の板金で構成され、前記定着駆動回路に用いるスイッチング素子を取り付け固定できる放熱板金であることを特徴とする請求項３記載の画像形成装置。
【発明の詳細な説明】
【技術分野】
【０００１】
本発明は、１枚のプリント基板上に低圧電源部回路と定着駆動回路を近接して配置した構成を有する電装基板及びその電装基板を用いた画像形成装置に関するものである。
【背景技術】
【０００２】
従来の電装基板又は画像形成装置には定着駆動回路及び低圧電源部回路それぞれから発生するノイズを抑制するためにノイズ除去用のフィルタ部品を数多く実装して対応したり、低圧電源部回路から発生する磁気放射ノイズが定着駆動回路に影響を及ぼさないように、各回路間に十分な空間距離を確保して対応する手法が通例である。
【０００３】
定着駆動回路においては、商用電源電圧（所謂、ＡＣ電圧）を入力とし、スイッチング素子を介して熱源となる発熱抵抗体へ通電し、前記発熱抵抗体に隣接する温度検知手段からの情報を基に通電をＯＮ／ＯＦＦコントロールする手法が数多く採用されており、同じ商用電源電圧を整流平滑する低圧電源部回路とは自ずと近接して配置される。
【０００４】
同様に低圧電源部回路においては、商用電源電圧（所謂、ＡＣ電圧）を入力とし、電源コードを介して流入してくるノイズを防ぐため、及び画像形成装置から外部へ流出するノイズを防ぐためのフィルタ回路から成るＡＣ入力部回路を経て、商用電源電圧を整流平滑し、コンバータトランスにて所望の電圧を生成するべく半導体素子をスイッチング制御する。
【０００５】
このスイッチング制御時に放射されるノイズを抑制するために、アースに接続された導電性の部材を搬送ガイドとし、電装基板全体を覆う構成を採用している画像形成装置がある（例えば、特許文献１参照）。
【０００６】
【特許文献１】特開平６−３１４００５号公報
【発明の開示】
【発明が解決しようとする課題】
【０００７】
しかしながら、上記従来例では、低圧電源部回路の方式等によっては、半導体素子のスイッチング制御時に発生する磁気放射ノイズが定着駆動回路へ伝播し、画像形成装置に繋がれた電源コードを介して端子雑音電圧として伝播し、外部の機器に悪影響を及ぼすことになるため、ノイズ除去用の部品を数多く実装して対応することになるが、装置の小型化が求められている昨今においては基板のスペースが無くなってしまうばかりでなく、コストも余計に掛かってしまうという欠点があった。
【０００８】
又、他の回路へのノイズによる干渉を抑制するために、ノイズにより干渉し易い回路間の距離を離して配置することは、各回路の配置構成に制約が発生してしまうという欠点があった。
【０００９】
更に、特許文献１に記載された手法では、電装基板全体を導電性の部材で覆うため、導電性の部材を必要以上に大きくしなければならないという欠点があり、又、同一基板上の各回路から放射されるノイズが他の回路へ干渉することは避けられず誤動作を引き起こすという欠点があった。
【００１０】
従って、本発明の目的は、１枚のプリント基板上に構成される定着駆動回路と低圧電源部回路との間に１枚の板金を接地することである。
【００１１】
又、本発明の目的は、定着駆動回路と低圧電源部回路との間に接地した１枚の板金を、定着駆動回路に使用するスイッチング素子の放熱板として利用することである。
【課題を解決するための手段】
【００１２】
上記目的を達成するため、本発明は、１枚のプリント基板から成る電装基板の定着駆動回路と低圧電源部回路との間に板金を配置し、前記板金を前記電装基板上のＧＮＤに接地したことを特徴とするものである。又、本発明は、１枚のプリント基板上に設けた板金は１枚の板金で形成され、定着駆動回路に用いるスイッチング素子を取り付け固定できる放熱板金であることを特徴とする。
【発明の効果】
【００１３】
本発明によれば、１枚のプリント基板上に定着駆動回路と低圧電源部回路が近接して配置構成される電装基板において、定着駆動回路と低圧電源部回路との間に１枚の板金を配備し、この板金を前記１枚のプリント基板上のＧＮＤに接地しシールドすることにより、低圧電源部回路からの磁気放射ノイズが定着駆動回路へ伝播することを防止できる。
【００１４】
又、ノイズフィルタ部品を必要最小限に抑えることが可能となり、コストアップを防止できるばかりでなく基板の小型化が可能となる。
【００１５】
更に、本発明によれば、前述の板金を定着駆動回路のスイッチング素子の放熱板としての機能も兼ね備えることで、部品点数を増やすことなくノイズへの対応が可能となる。
【発明を実施するための最良の形態】
【００１６】
以下に本発明の実施の形態を添付図面に基づいて説明する。
【００１７】
図１は本発明の特徴を最も良く表す図であり、電装基板の部品配置を示すシルク図である。
【００１８】
図１において、１は電装基板であるところのプリント基板、２は電源コード（不図示）から供給される商用電源電圧を給電するためのコネクタ、円内で示される３は商用電源電圧から流入してくるノイズ及び基板から商用電源電圧へ流出していくノイズを除去するためのフィルタ部品、４は異常状態が発生した時に回路を保護するために作動する電流ヒューズ、円内で示される５は熱定着手段（不図示）への通電を制御するための定着駆動回路部品、６は定着駆動回路であるところの商用電源電圧をスイッチングするトライアック、７はスイッチングされた商用電源電圧のノイズを除去するインダクタ、８はスイッチングされた商用電源電圧を熱定着手段へ給電するためのコネクタである。
【００１９】
又、９は電装基板上に設けられたＧＮＤ端子、１０は１枚の板金を折り込んで作製し、６のスイッチング素子を取り付けられるように加工されているシールド板金兼放熱板金である。１１は商用電源電圧を整流するためのダイオード、１２はダイオード１１により整流された電圧を平滑するための電解コンデンサ、１３は低圧電源回路部であるところのコンバータトランス、１４は低圧電源回路部であるところのトランジスタであり、整流平滑された電圧からコンバータトランス１３を介して所望の低電圧源を生成するためにスイッチング制御を行う。
【００２０】
上記構成において、所望の低電圧源を生成するスイッチング制御時に低圧電源部回路から放射される磁気ノイズが、低圧電源部回路と近接して配置されている定着駆動回路に伝播し、基板裏面のパターンを経由して商用電源へ流出してしまう端子雑音を防止するべく、定着駆動回路と低圧電源部回路との間にＧＮＤに接地可能とする板金１０を配置しシールドさせる。板金１０はＧＮＤ端子９にて面接触するような形状とし、更に電装基板全体を裏面からホールドする板金に対してビスにて固定し、ＧＮＤの安定化を図る。又、板金１０は、トライアック６の放熱板金としての機能も併せ持つ。板金とトライアックのリード端子とは任意に定められた距離を確保できるような形状とする。
【００２１】
図２はトライアック６を板金１０への取付を示す組立図であり、同一の部材には同一の番号を付している。１０１はビスであり、トライアック６と板金１０を共締めする。同図において、板金１０は伝播する磁気ノイズの影響を受けないように部品を取り囲むような形状とする。
【００２２】
図３は図１の構成を示した回路図であり、同一の部材には同一の番号を付している。スイッチング制御時に低圧電源部回路から放射される磁気ノイズ（図中Ａ）が伝播するのを防止するため、板金１０（図中破線）を接地しシールドする。
【００２３】
本実施の形態においては、定着駆動回路であるところのスイッチング素子であるトライアックに対して取付を行うことができるシールド板金兼放熱板金としたが、低圧電源部回路であるところのスイッチング素子であるトランジスタに対して取付を行うことができるシールド板金兼放熱板金であっても差し支えない。
【００２４】
更に、定着駆動回路であるところのスイッチング素子であるトライアックは商用電源電圧の電圧別に異なる定格を有するものを使用することがあるが、板金の形状を電圧別に異なった形状とすることで誤実装を防止することも可能である。
【図面の簡単な説明】
【００２５】
【図１】本発明の実施の形態に係る電装基板の部品配置を説明する図である。
【図２】本発明の実施の形態における板金と部品の取り付け説明する図である。
【図３】本発明の実施の形態を示す電装基板の回路を示す図である。
【符号の説明】
【００２６】
１    プリント基板
２，８  コネクタ
３    フィルタ部品
４    電流ヒューズ
５    定着駆動回路
６    トライアック
７    インダクタ
９    ＧＮＤ端子
１０  シールド板金兼放熱板金
１１  ダイオード
１２  電解コンデンサ
１３  コンバータトランス
１４  トランジスタ
【図１】
2006053476.tif 000003
【図２】
2006053476.tif 000004
【図３】
2006053476.tif 000005